(57)【要約】      （修正有）【課題】耐荷重性を具えながら、廃棄の際に、環境問題を生じさせない、災害時の避難所等における使用に便利な段ボール製組立式テーブルを提供する。【解決手段】天板部材２０を折曲げてなる天板２００と、複数の脚部材１０からなる脚部１００とから構成される段ボール製組立式テーブル３００において、天板２００が、脚部１００と連結するための差込爪が設けられた差込片を具え、脚部１００が、脚部材１０から構成される井桁構造体であり、その側面に、天板２００と連結するための差込孔１８が設けられた差込凹部を具え、差込爪を差込孔１８に嵌込むことにより、天板２００と脚部１００を連結することによって、荷重を分散して支持するようにした。また、リサイクルに適しない素材を一切使用せず、段ボールのみで組立てられているので、環境問題を生じさせない。【選択図】図１
2009005801.tif 000002
【特許請求の範囲】
【請求項１】
天板部材を折曲げてなる天板と、複数の脚部材からなる脚部とから構成される段ボール製組立式テーブルであって、
前記天板が、前記脚部と連結するための差込爪が設けられた差込片を具え、
前記脚部が、前記脚部材で構成される井桁構造体であり、その側面に、前記天板と連結するための差込孔が設けられた差込凹部を具え、
前記差込爪を差込孔に嵌込むことにより、前記天板と脚部が連結されることを特徴とする、
段ボール製組立式テーブル。
【請求項２】
前記天板が同一形状の２枚の天板部材を水平に９０度回転させた状態で組合わせたものである、請求項１の段ボール製組立式テーブル。
【請求項３】
前記複数の脚部材が同一の構造で、切込部を具え、上下が開放された直方体形状にされ、前記切込部が上方へ向くものと下方へ向くものが互いに噛合わせられる、請求項１又は２の段ボール製組立式テーブル。
【発明の詳細な説明】
【技術分野】
【０００１】
本発明は、段ボールを素材とした、組立式テーブルに関する。
【背景技術】
【０００２】
この種の組立式テーブルの従来技術として、特許文献１のものがある。
【特許文献１】実開平５−７４３２６号公報
【発明の開示】
【発明が解決しようとする課題】
【０００３】
図８に特許文献１の組立式テーブルの分解斜視図を示すが、このテーブルは、天板５０の裏面の外周寄りにのみ脚板５６、５８が設置されるため、天板５０に掛かる荷重を支える箇所が天板の外周寄りに偏在することになり、天板５０の外周側に比較して天板中央部の耐荷重性が劣るという問題がある。
さらに、特許文献１の組立式テーブルでは、テーブルの耐荷重性や、天板と脚部部分の連結強度の向上を図るために、化粧版に粘着片５２、５４を設け、その粘着片５２、５４を芯板に粘着させている。すなわち、特許文献１の段ボール製組立式テーブルには、粘着材というリサイクルに適しない素材を使用しているという、環境問題に属する付随的問題があった。
【０００４】
本発明は、上記の点に鑑み、十分な耐荷重性を具えながら、且つ、金具、接着剤等のリサイクルに適しない素材を一切使用することなく、段ボールのみで組立てることが可能な、段ボール製組立式テーブルを提供することを目的とする。
【課題を解決するための手段】
【０００５】
本発明は、天板部材を折曲げてなる天板と、複数の脚部材からなる脚部とから構成される段ボール製組立式テーブルであって、
前記天板が、前記脚部と連結するための差込爪が設けられた差込片を具え、
前記脚部が、前記脚部材で構成される井桁構造体であり、その側面に、前記天板と連結するための差込孔が設けられた差込凹部を具え、
前記差込爪を差込孔に嵌込むことにより、前記天板と脚部が連結されることを特徴とする段ボール製組立式テーブルによって、前記課題を解決した。
【発明の効果】
【０００６】
本発明の段ボール製組立式テーブルによれば、天板に、荷重を受ける箇所を偏ることなく均等に配置するために、井桁状に組まれた複数の脚部材からなる脚部で荷重を支えるようにしたので、天板にかかる荷重を効果的に分散させることができる。その結果、従来の段ボール製組立式テーブルと比較して、耐荷重性能を向上させることができる。
【０００７】
さらに、各部材同士は、すべて差込の嵌合で連結され、金具、接着剤、或いは、両面テープ等の紙以外の連結・接合材は一切使用しないため、リサイクルや焼却の際に、環境問題を発生させない。
【発明を実施するための最良の形態】
【０００８】
以下、本発明の実施形態を、図１〜５に基づいて説明する。
図１は、本発明の実施形態の段ボール製組立式テーブル３００の完成斜視図である。一枚の段ボールの天板部材２０を折曲げてなる天板２００に掛かる荷重を、複数の脚部材１０からなる井桁構造体である脚部１００が受止めるようになっている。以下、テーブル３００を構成する各部材の構造、次に組立方法という順で説明する。
【０００９】
図２は、一枚の段ボールからなる脚部材１０の展開図である。
脚部材１０は、ほぼ長方形状であり、左右対称に、折目１４、１６、差込孔１８、及び切込部１２が複数設けられている。差込孔１８は、後述の天板部材２０の差込片２２に設けられた差込爪２６を差込み、天板２００と脚部１００を連結させるためのものであり、切込部１２は、他の脚部材１０に設けられた他の切込部１２と噛合わされ、井桁構造を構成するためのものである。
なお、本実施形態における実際の組立の場面では、同じ構造の脚部材１０が６つ必要である。
【００１０】
図３は、天板２００を構成する天板部材２０の展開図である。
図３に示すように、天板部材２０には、上下・左右対称に折目４０、４２、４４、４６、差込片２２、及び差込爪２６が複数設けられている。
なお、本実施形態における実際の組立の場面では、同じ構造の天板部材１０が２つ必要である。
【００１１】
次に、図２〜５を参照しながら、本発明の実施形態の組立方法について説明する。図４は、脚部材１０からなる井桁構造体である脚部１００の組立途中の分解図であり、図５は、天板２００と脚部１００の嵌合方法を示す組立途中の分解図である。
【００１２】
まず、図２に示す脚部材１０を、左右対称になるように脚部材１０の同一面側へ向けて、折目１４、１６で、それぞれほぼ直角に折曲げ、図４の井桁構造体の上部に示したような、上下が開放された、左右対称の直方体形状にする。この作業を６つの脚部材１０の全てにつき行う。
次に、図４に示すように、直方体形状にされた６つの脚部材１０のうち、３つの脚部材１０を、切込部１２が上方へ向くように配置し、その切込部１２に、切込部１２を下方へ向けた残りの３つの脚部材１０の切込部１２をそれぞれ噛合わせ、固定する。
以上の作業により、図５に示すような、複数の脚部材１０からなる井桁構造体の脚部１００が完成し、脚部１００の側面には、差込片２２が内側に差込まれる差込凹部３２が複数形成される。
差込凹部３２の立ち上がった両側面には、差込孔１２が上下に、対向する位置に、形成されている。
【００１３】
次に、図３に示す天板部材２０を、上下対称になるように同一面側へ向けて、折目４６で、袖部２８をほぼ１８０度、又、袖部３０をほぼ直角に折曲げる。そして、同じ作業をもう１つの天板部材２０に対しても行い、一方の天板部材２０の袖部２８を折曲げた側の面上に、その面に対し水平に９０度回転させた向きで他方の天板部材２０を重ねる。
次に、重合わせた２つの天板部材２０を、折目４０、４２で、それぞれほぼ直角に折曲げ、さらに、折目４４で、差込片２２をそのままにして、袖部２４のみをほぼ直角に折曲げ、差込片２２を突出させる。
以上の作業により、図５に示すような、２つの天板部材２０からなる天板２００が完成する。
【００１４】
次に、完成した天板２００の裏面に、脚部１００を嵌合する。差込片２２の幅と、差込凹部３２の幅はほぼ等しいため、差込片２２や差込凹部３２の差込孔１８が設けられた面を撓ませて、差込爪２６を差込孔１８に差込み、嵌合させることで、天板２００と脚部１００を連結する。差込み時には撓んだ部分も、紙の弾性力により元の形状に戻り、天板２００と脚部１００が連結・固定される。図６は、天板２００と脚部１００が連結した状態を示す下方から見た斜視図である。  
【００１５】
以上のように、各部材同士は全て差込の嵌合で連結され、且つ、紙の弾性力を利用して固定されており、金具、接着剤、或いは、両面テープ等の紙以外の連結・接合材は一切使用しないため、その取外しも容易である。
【００１６】
そして、完成した本発明の段ボール製組立テーブル３００について、天板２００から脚部１００を取外した後には、脚部１００は、個々の脚部材１０に分解することなく平板状に折畳むことが可能である。すなわち、脚部１００は井桁構造であることから、図７（ｂ）に示すように井桁の対角線方向に押し潰すようにして、平板状に折畳むことができる。図７は、天板方向から見た脚部１００の断面図で、（ａ）は完成状態、（ｂ）は完成した脚部１００を押し潰し、平板状にしている途中の状態を示す。
そして、次に組立てるときには、平板状にされた脚部１００を元の状態に戻し、これと天板２００を、前述した方法で嵌合すれば、本発明の段ボール製組立式テーブル３００が完成するので、組立手順は極めて容易である。
従って、本発明の段ボール製組立式テーブル３００の組立方法の中では、比較的手間の掛かる作業である脚部１００の組立てを予め済ませた状態であっても、脚部１００を折畳むことによりコンパクトに収納することができるので、組立手順の容易性を実現しつつ、収納性、ひいては機動性の向上も図ることができる。  
【００１７】
また、本発明の段ボール製組立式テーブル３００の構成要素となる部材は、全て段ボールから打抜いて作られるため量産に適するのみならず、天板部材２０と脚部材１０という２種類の構成要素のみからなるため、製造コストも低く抑えることができる。
【００１８】
これらの利点を活かした用途としては、公共団体等が災害時における避難生活用の簡易家具として、本発明の段ボール製組立式テーブル３００を利用することが考えられる。すなわち、平時においては、天板２００と組上げた脚部１００を折畳んで倉庫等に保管しておき、災害時には、避難所に折畳んだまま搬入し、現地で組立て、避難所生活に役立てることができる。
【００１９】
なお、脚部材や天板部材等の数、及び各部材の細かい点は、図中及び上記の説明の中に示したものに限定されないことは言うまでもない。
【図面の簡単な説明】
【００２０】
【図１】本発明の段ボール製組立式テーブルの完成図。
【図２】脚部を構成する脚部材の展開図。
【図３】天板を構成する天板部材の展開図。
【図４】脚部材からなる井桁構造体である脚部の組立途中の分解図
【図５】天板と脚部の嵌合方法を示す組立途中の分解図。
【図６】天板と脚部が嵌合した状態を示す下方から見た斜視図。
【図７】天板方向から見た脚部の断面図で、（ａ）は完成状態、（ｂ）は完成した脚部を押潰し、平板状にしている途中の状態を示図。
【図８】従来の段ボール製組立式テーブルの分解斜視図。
【符号の説明】
【００２１】
１０：脚部材
１２：切込部
１８：差込孔
２０：天板部材
２２：差込片
２６：差込爪
３２：差込凹部
１００：脚部
２００：天板
３００：段ボール製組立式テーブル
【図１】
2009005801.tif 000003
【図２】
2009005801.tif 000004
【図３】
2009005801.tif 000005
【図４】
2009005801.tif 000006
【図５】
2009005801.tif 000007
【図６】
2009005801.tif 000008
【図７】
2009005801.tif 000009
【図８】
2009005801.tif 000010